(57)【要約】      （修正有）【課題】組み立て前には、看板を含んでコンパクトに折り畳まれ、しかも、組み立て現場においての組み立てが、極めて簡便かつ迅速にできる販売台を提供すること。【解決手段】販売台７は、二面を有する二枚の本体部のブランクを貼り合わせて四角柱体を形成し、上部に内側への折り込み部を有する本体部１と、本体部１の内側に組み込まれた支持体である第１部材及び第２部材と、その上部に載置される天板部２と、天板部２と一体に連接され、折り込み部に貼り合わされて四角柱体から鉛直方向に延びて配置される看板部３と、を備え、本体部１と、支持体と、看板部３とは、一体的に連結されており、組み立て前には、本体部１と、支持体と、看板部３とが折り畳まれており、組み立て時には、本体部１で四角柱体を形成し、支持体の上部に天板部２を載置することを特徴とする。【選択図】図１
0003139623.tif 000002
【実用新案登録請求の範囲】
【請求項１】
二面を有する二枚のシートを貼り合わせて四角柱体を形成し、上部に内側への折り込み部を有する本体部と、
前記本体部の内側に組み込まれた支持体と、
前記支持体の上部に載置される天板部と、
前記天板部と一体に連接され、前記折り込み部に貼り合わされて前記四角柱体から鉛直方向に延びて配置される看板部と、
を備え、
前記本体部と、前記支持体と、前記看板部とは、一体的に連結されており、
組み立て前には、前記本体部と、前記支持体と、前記看板部とが折り畳まれており、
組み立て時には、前記本体部で四角柱体を形成し、前記支持体の上部に前記天板部を載置すること
を特徴とする販売台。
【請求項２】
請求項１に記載の販売台において、
前記天板部は、前記天板部と同形状の補強片が貼り合わされていること
を特徴とする販売台。
【請求項３】
請求項１又は２のいずれか１項に記載の販売台において、
前記四角柱体は、背面及び前面の長さが、左右側面の長さより長く構成され、
前記支持体は、
略中央上側に切り込みが入った支持体主板の両側辺に支持体糊代を連接した複数枚の支持板からなる第１部材と、
前記第１部材の前記切り込みに差し込む複数個の切り込みが下側に入った支持体主板からなる第２部材と、
を備え、
前記第１部材は、前記四角柱体の前面及び背面に連接されること
を特徴とする販売台。
【考案の詳細な説明】
【技術分野】
【０００１】
本考案は、看板付き販売台に関するものである。
【背景技術】
【０００２】
従来から、特定な新商品の販促（販売促進）キャンペーンにあたり、店頭における顧客の商品購入の動機付けに、ＰＯＰ（ｐｏｉｎｔ−ｏｆ−ｐｕｒｃｈａｓｅ：購買時点）ディスプレイが取り付けられた即席の販売台が使用されている。これらの販売台に共通する課題は、コンパクトに折り畳んで現場への搬送を容易にし、そして、現場で容易かつ迅速に、組み立てができることである。この課題の解決のために、これまでに種々の提案がなされている（例えば、特許文献１参照）。
【特許文献１】特開２００６−２５５２８３号公報
【考案の開示】
【考案が解決しようとする課題】
【０００３】
しかしながら、特許文献１で提案されているものは、組み立て前には、看板を含んでコンパクトに折り畳まれた状態で収納箱に収納され、組み立て現場において、収納箱を販売台の一部として組み立てて利用するものである。よって、収納箱を販売台の一部とするための作業が必要であり、組み立て方法の簡便さという点では十分なものではないという問題がある。
【０００４】
本考案は、前述の問題点に鑑みてなされたもので、組み立て前には、看板を含んでコンパクトに折り畳まれ、しかも、組み立て現場においての組み立てが、極めて簡便かつ迅速にできる販売台を提供することを目的とする。
【課題を解決するための手段】
【０００５】
本考案は、以下のような解決手段により、前記課題を解決する。なお、理解を容易にするために、本考案の実施形態に対応する符号を付して説明するが、これに限定されるものではない。また、符号を付して説明した構成は、適宜改良してもよく、また、少なくとも一部を他の構成物に代替してもよい。
【０００６】
請求項１の考案は、二面を有する二枚のシート（１０Ａ，１０Ｂ）を貼り合わせて四角柱体を形成し、上部に内側への折り込み部（１４，１５，１６）を有する本体部（１）と、前記本体部の内側に組み込まれた支持体（４，５）と、前記支持体の上部に載置される天板部（２）と、前記天板部と一体に連接され、前記折り込み部に貼り合わされて前記四角柱体から鉛直方向に延びて配置される看板部（３）と、を備え、前記本体部と、前記支持体と、前記看板部とは、一体的に連結されており、組み立て前には、前記本体部と、前記支持体と、前記看板部とが折り畳まれており、組み立て時には、前記本体部で四角柱体を形成し、前記支持体の上部に前記天板部を載置することを特徴とする販売台（７）である。
【０００７】
請求項２の考案は、請求項１に記載の販売台（７）において、前記天板部（２）は、前記天板部と同形状の補強片（２６）が貼り合わされていることを特徴とする販売台である。
請求項３の考案は、請求項１又は２のいずれか１項に記載の販売台（７）において、前記四角柱体は、背面（１７）及び前面（１１）の長さが、左右側面（１２）の長さより長く構成され、前記支持体（４，５）は、略中央上側に切り込み（４１ａ）が入った支持体主板の両側辺に支持体糊代（４２、４３）を連接した複数枚の支持板からなる第１部材（４）と、前記第１部材の前記切り込みに差し込む複数個の切り込み（５１ａ、５１ｂ）が下側に入った支持体主板からなる第２部材（５）と、を備え、前記第１部材は、前記四角柱体の前面及び背面に連接されることを特徴とする販売台である。
【考案の効果】
【０００８】
本考案によれば、以下の効果を奏することができる。
（１）本考案は、本体部と、支持体と、看板部とが一体的に連結されて、組み立て前には、本体部と、支持体と、看板部とが折り畳まれている。そして、組み立て時には、本体部で四角柱体を形成し、支持体の上部に天板部を載置することで販売台を作成できる。よって、本体部を四角柱体に形成した後、天板部を載置する操作のみで、組み立て現場での組み立てが、極めて簡便かつ迅速にできる看板付きの販売台を提供することができる。
【０００９】
（２）本考案は、天板部には、天板部と同形状の補強片が貼り合わされているので、強固な載置台として、商品等の載置に利用することができる。
【００１０】
（３）本考案は、支持体は、略中央上側に切り込みが入った支持体主板の両側辺に支持体糊代を連接した複数枚の支持板からなる第１部材と、第１部材の切り込みに差し込む複数個の切り込みが下側に入った支持体主板からなる第２部材と、を備え、第１部材は、左右側面の長さより長い四角柱体の前面及び背面に連接される。よって、これらの支持体により安定性に優れた販売台を提供することができる。
【考案を実施するための最良の形態】
【００１１】
（実施形態）
以下、本考案を実施するための最良の形態について図を参照しながら説明する。なお、これはあくまでも一例であって、本考案の技術的範囲はこれに限られるものではない。
図１は、本実施形態の販売台７の外観を示す斜視図である。
【００１２】
本実施形態による販売台７は、図１に示すように、四角柱体を形成する本体部１と、本体部１の折り込み部１６（図２参照）に貼り合わされて接合されている看板部３と、四角柱体内に支持体として組み込まれる第１部材４及び第２部材５（図７参照）と、その上端縁に接して置かれる天板部２とからなる。販売台７は、食品、飲料、化粧品、医薬品、医薬部外品、一般生活用品等幅広い商品を対象として、通常の新製品の販売促進はもとより、生活歳時や各種イベントに合わせた販促ツールとしての利用が可能である。
【００１３】
本体部１は、販売台７の土台となる中心的部材である。本体部１の上端部は、基材が二重折れ線ｃ（図２参照）によってコの字状に折り返されて額縁状の端縁が形成されている。これは、四角柱体の剛性の確保とともに、全体にボリューム感を持たせ、また、段ボール等の基材の裏面、端面が直視されないようにするためである。
看板部３は、一枚の板状に展開されて、本体部１の背面よりやや前方に直立している。
第１部材４及び第２部材５は、目視できないが、四角柱体内に組み込まれて（図７参照）、天板部２とその上に配列される商品の荷重を支えている。
天板部２は、商品載置台であり、所定の高さになるように、第１部材４及び第２部材５の上端縁に接して置かれている。
【００１４】
次に、販売台７を構成する各部材の展開図について説明する。
図２は、本実施形態の販売台７を構成する本体部１のブランク１０を示す展開図である。本体部１は、同形の２枚のブランク１０Ａ及びブランク１０Ｂからなる。ここで、ブランク１０Ａ及びブランク１０Ｂを合わせてブランク１０といい、説明の便宜上、前面を含むシートをブランク１０Ａ、背面を含むシートをブランク１０Ｂとする。
ブランク１０Ａは、前面となる前板１１の右辺に二重折れ線ａを介して側板１２が連接され、その側板１２の外側に二重折れ線ｂを介して本体糊代１３が連接される。また、前板１１及び側板１２の上辺に、二重折れ線ｃを介してそれぞれ折り込み部１４及び折り込み部１５が連接されている。
【００１５】
同様に、ブランク１０Ｂは、背面となる後板１７の右辺に二重折れ線ａを介して側板１２が連接され、その側板１２の外側に二重折れ線ｂを介して本体糊代１３が連接される。また、後板１７及び側板１２の上辺に、二重折れ線ｃを介してそれぞれ折り込み部１６及び折り込み部１５が連接されている。折り込み部１６を看板部３の一部と貼り合わせることで、本体部１と看板部３とが連結されて一体となる。また、ブランク１０Ｂの本体糊代１３は、前板１１の左側の部分１１ａに貼り合わされ、ブランク１０Ａの本体糊代１３は、後板１７の左側の部分１７ａにそれぞれ貼り合わされる。これらの本体糊代１３を、ブランク１０Ａ及びブランク１０Ｂに貼り合わせることで、四角柱体を形成することができる。なお、前述で説明した二重折れ線ａ、ｂ、ｃは、全て容易に本体部１のブランク１０が折れ曲がるように加工されている。
【００１６】
図３は、本実施形態の販売台７を構成する天板部２及び看板部３のブランク３０を示す展開図である。天板部２及び看板部３のブランク３０は、一枚の板紙からなるパネルであり、商品載置板３１と看板３２とが折れ線ｄで連接されている。商品載置板３１は、天板部２を構成し、看板３２は、看板部３を構成する。看板３２は、下側に看板糊代３２Ａを有し、裏面を糊付けして折り込み部１６（図２参照）と貼り合わせる。
【００１７】
図４は、本実施形態の販売台７を構成する補強片２６のブランク２５を示す展開図である。補強片２６は、商品載置板３１と同形状である。補強片２６の前面を糊付けし、商品載置板３１の裏面に貼り合わせることで、天板部２を補強することができる。
【００１８】
図５は、本実施形態の販売台７を構成する第１部材４のブランク４０を示す展開図である。第１部材４は、同形の２枚のブランク４０Ａ及びブランク４０Ｂからなる。ここで、ブランク４０Ａ及びブランク４０Ｂを合わせてブランク４０という。ブランク４０は、それぞれ、折り畳み可能な支持体主板４１の一方の側辺に折れ線ｅを介して支持体糊代４２が連接され、この支持体糊代４２は、本体部１の前板１１の内側の面に貼り付けられる。支持体主板４１のもう一方の側辺に折れ線ｆを介して支持体糊代４３が連接され、この支持体糊代４３は、本体部１の後板１７の内側の面に貼り付けられる。２枚のブランク４０は、本体部１の内部で向き合って貼り付けられる（図７参照）。この第１部材４は、本体部１の中に組み込まれ、組み立て前は、側板１２と平行な状態で折り畳まれる。組み立てた時は、本体部１を四角柱体とすることで、側板１２と平行な状態で、かつ前板１１及び後板１７と垂直な状態で直立する。
また、第１部材４は、天板部２を適宜な高さに支持できる寸法を有し、商品を支持できるだけの圧縮強さを有する基材からなる。支持体主板４１の略中央上部には、それぞれ支持体切り込み４１ａが設けられており、第２部材５の支持体切り込み５１ａ、５１ｂ（図６参照）が差し込まれることで、本体部１を補強することができる。
【００１９】
図６は、本実施形態の販売台７を構成する第２部材５のブランク５０を示す展開図である。第２部材５のブランク５０は、支持体主板５１の下方に２つの支持体切り込み５１ａ、５１ｂを有する。支持体主板５１は、本体部１等と糊付けがされていない。しかし、支持体切り込み５１ａ、５１ｂを、それぞれ、第１部材４の支持体主板４１の支持体切り込み４１ａに差し込むことで、本体部１を補強することができる。この第２部材５は、本体部１の中に組み込まれ、組み立て前は、前板１１及び後板１７と平行な状態で折り畳まれる。組み立てた時は、本体部１を四角柱体とすることで、前板１１及び後板１７と平行な状態で、かつ第１部材４と直角に交わる状態で直立する。また、第２部材５は、天板部２を適宜な高さに支持できる寸法を有し、商品を支持できるだけの圧縮強さを有する基材からなる。
【００２０】
次に、販売台７の組み立て状態を説明する。
図７は、本実施形態の販売台７の組み立て状態を説明する図である。
まず、図７（ａ）のような状態に折り畳まれている販売台７を、前板１１を矢印Ａ方向に持ち上げて、図７（ｂ）に示すように、本体部１の内側の空間が広がるように四角柱体の形状にする。本体部１が四角柱体を形成されると同時に、折り畳まれていた第１部材４及び第２部材５が立ち上がり、第１部材４と第２部材５とが直角に交差する。
【００２１】
次に、図７（ｃ）に示すように、看板部３を矢印Ｂ方向に持ち上げ、折り込み部１６を本体部１の内側に折り込むことで、看板部３に連接した天板部２を矢印Ｃ方向に押し下げて、四角柱体内に挿着して、天板部２を第１部材４及び第２部材５の上に載置する。
このように、本体部１の前板１１を持ち上げて四角柱体とし、天板部２を本体部１の四角柱体内に入れるだけで、販売台７は、全体に剛性が付与された状態で組み立てられ、看板部３は直立して固定されて組み立てが完了する。
【００２２】
従って、二面を有する２つのシートを貼り合わせて本体部１となる四角柱体を形成し、支持体を本体部１の内側に組み込み、本体部１に天板部２が連接された看板部３を貼り合わせる構成とすることで、組み立て時には、本体部１を四角柱体にして天板部２を載置するだけで、極めて簡易に販売台７を作成することができる。販売台７は、組み立て前には、極めてコンパクトな状態で組み立て現場に配送可能であるので、流通経費の削減とともに、組み立て部品の管理も容易になる。
【００２３】
なお、販売台７の各部材に使用される素材は、販売台の大きさ次第で種々の板紙あるいは段ボールの組み合わせが利用できるが、材料の組み合わせの一例を示すと、例えば、角柱体の内法寸法、若しくは天板部２の一辺が３００〜４００ｍｍ程度の大きさの販売台７の場合に、次のような素材の組み合わせが好適である。
本体部１：Ｂフルート段ボール
天板部２、看板部３：Ｂフルート段ボール
補強片２６：Ｗフルート段ボール
第１部材４、第２部材５：Ｗフルート段ボール
【００２４】
以上、本考案の実施形態について説明したが、本考案は前述した実施形態に限定されるものではない。また、実施形態に記載した効果は、本考案から生じる最も好適な効果を列挙したに過ぎず、本考案による効果は、実施形態に記載したものに限定されない。なお、前述した実施形態及び後述する変形形態は、適宜組み合わせて用いることもできるが、詳細な説明は省略する。
【００２５】
（変形形態）
以上、説明した実施形態に限定されることなく、種々の変形や変更が可能であって、それらも本考案の範囲内である。
本実施形態では、２つの第１部材を用いて支持体を構成した。しかし、これに限らず、より多くの第１部材を用いてもよい。その場合は、第２部材の支持体切り込みを、第１部材の数だけ増やす必要がある。そのようにすることで、さらに本体部の安定性が保たれ、載置された商品等の重量に、天板部が耐えることができる。
【図面の簡単な説明】
【００２６】
【図１】本実施形態の販売台の外観を示す斜視図である。
【図２】本実施形態の販売台を構成する本体部のブランクを示す展開図である。
【図３】本実施形態の販売台を構成する天板部及び看板部のブランクを示す展開図である。
【図４】本実施形態の販売台を構成する補強片のブランクを示す展開図である。
【図５】本実施形態の販売台を構成する第１部材のブランクを示す展開図である。
【図６】本実施形態の販売台を構成する第２部材のブランクを示す展開図である。
【図７】本実施形態の販売台の組み立て状態を説明する図である。
【符号の説明】
【００２７】
１    本体部
２    天板部
３    看板部
４    第１部材
５    第２部材
７    販売台
１０  ブランク（本体部）
１１  前板
１２  側板
１３  本体糊代
１４  折り込み部
１５  折り込み部
１６  折り込み部
１７  後板
２５  ブランク（補強片）
２６  補強片
３０  ブランク（看板）
３１  商品載置板
３２  看板
３２Ａ  看板糊代
４０  ブランク（第１部材）
４１  支持体主板
４１ａ  支持体切り込み
４２  支持体糊代
４３  支持体糊代
５０  ブランク（第２部材）
５１  支持体主板
５１ａ，５１ｂ  支持体切り込み
ａ，ｂ，ｃ  二重折れ線
ｄ，ｅ，ｆ  折れ線
【図１】
0003139623.tif 000003
【図２】
0003139623.tif 000004
【図３】
0003139623.tif 000005
【図４】
0003139623.tif 000006
【図５】
0003139623.tif 000007
【図６】
0003139623.tif 000008
【図７】
0003139623.tif 000009